(57)【要約】【課題】できる限り導電体同士の接触を回避することができるパネルユニットおよび表示装置並びに電子機器を提供する。【解決手段】パネルユニット２２は、下側基材３５と、裏面で下側基材３５の表面に向き合わせられる上側基材３６とを備える。下側基材３５の表面には任意の出発点４４から終点４５まで延びる１筋の第１導電体４３ａが形成される。上側基材３６の裏面には、出発点４４に向き合わせられる対応の出発点５４から、終点４５に向き合わせられる対応の終点５５まで、複数回にわたって第１導電体４３ａに交差する１筋の第２導電体５１ａが形成される。こうしたパネルユニット２２では、第１導電線４３ａおよび第２電極５１ａの重なりは極力回避される。第１導電体４３ａおよび第２導電体５１ａの接触はできる限り回避される。パネルユニット２２は正常に動作し続けることができる。【選択図】図６
2006031207.tif 000002
【特許請求の範囲】
【請求項１】
下側基材と、下側基材の表面で任意の出発点から終点まで延びる１筋の第１導電体と、裏面で下側基材の表面に向き合わせられる上側基材と、上側基材の裏面で、前記出発点に向き合わせられる対応の出発点から、前記終点に向き合わせられる対応の終点まで、複数回にわたって第１導電体に交差する１筋の第２導電体とを備えることを特徴とするパネルユニット。
【請求項２】
請求項１に記載のパネルユニットにおいて、前記第１導電体は前記下側基材の表面上で蛇行することを特徴とするパネルユニット。
【請求項３】
請求項２に記載のパネルユニットにおいて、前記第２導電体は前記上側基材の裏面上で蛇行することを特徴とするパネルユニット。
【請求項４】
請求項１に記載のパネルユニットにおいて、前記下側基材および前記上側基材は透過性を有することを特徴とするパネルユニット。
【請求項５】
請求項１に記載のパネルユニットにおいて、前記上側基材の表面に受け止められて、前記上側基材の表面に沿って窓孔を区画する枠部材と、前記第１および第２導電体の間に挟み込まれ、枠部材から前記上側基材に作用する押し付け力を受け止める絶縁層とをさらに備えることを特徴とするパネルユニット。
【請求項６】
第１基材と、第１基材の表面で１対の電極の間に広がる導電膜と、少なくとも一方の電極に接続され、導電膜から離隔しつつ第１基材の表面で延びる任意の出発点から終点まで延びる１筋の導電線と、裏面で第１基材の表面に向き合わせられる第２基材と、第２基材の裏面で、前記出発点に向き合わせられる対応の出発点から、前記終点に向き合わせられる対応の終点まで、複数回にわたって導電線に交差する１筋の導電体とを備えることを特徴とするパネルユニット。
【請求項７】
表示パネルユニットと、表示パネルユニットの表面に沿って配置される下側基材と、下側基材の表面で任意の出発点から終点まで延びる１筋の第１導電体と、裏面で下側基材の表面に向き合わせられる上側基材と、上側基材の裏面で、前記出発点に向き合わせられる対応の出発点から、前記終点に向き合わせられる対応の終点まで、複数回にわたって第１導電体に交差する１筋の第２導電体とを備えることを特徴とする表示装置。
【請求項８】
表示パネルユニットと、表示パネルユニットの表面に沿って配置される第１基材と、第１基材の表面で１対の電極の間に広がる導電膜と、少なくとも一方の電極に接続され、導電膜から離隔しつつ第１基材の表面で延びる任意の出発点から終点まで延びる１筋の導電線と、裏面で第１基材の表面に向き合わせられる第２基材と、第２基材の裏面で、前記出発点に向き合わせられる対応の出発点から、前記終点に向き合わせられる対応の終点まで、複数回にわたって導電線に交差する１筋の導電体とを備えることを特徴とする表示装置。
【請求項９】
表示パネルユニットと、表示パネルユニットの表面に沿って配置される下側基材と、下側基材の表面で任意の出発点から終点まで延びる１筋の第１導電体と、裏面で下側基材の表面に向き合わせられる上側基材と、上側基材の裏面で、前記出発点に向き合わせられる対応の出発点から、前記終点に向き合わせられる対応の終点まで、複数回にわたって第１導電体に交差する１筋の第２導電体とを備えることを特徴とする電子機器。
【請求項１０】
表示パネルユニットと、表示パネルユニットの表面に沿って配置される第１基材と、第１基材の表面で１対の電極の間に広がる導電膜と、少なくとも一方の電極に接続され、導電膜から離隔しつつ第１基材の表面で延びる任意の出発点から終点まで延びる１筋の導電線と、裏面で第１基材の表面に向き合わせられる第２基材と、第２基材の裏面で、前記出発点に向き合わせられる対応の出発点から、前記終点に向き合わせられる対応の終点まで、複数回にわたって導電線に交差する１筋の導電体とを備えることを特徴とする電子機器。
【発明の詳細な説明】
【技術分野】
【０００１】
本発明は、タッチパネルユニットといったパネルユニットに関する。
【背景技術】
【０００２】
いわゆるアナログ抵抗膜方式のタッチパネルユニットは、ガラス基板と、裏面でガラス基板の表面に向き合わせられる樹脂フィルムとを備える。ガラス基板の表面および樹脂フィルムの裏面にはＩＴＯ（インジウム錫酸化物）膜が広がる。ＩＴＯ膜の周囲ではガラス基板や樹脂フィルムの周縁に沿って導電体すなわち導電線が１直線上で延びる。こうして導電線同士は満遍なく向き合う。導電線同士の間に挟み込まれる接着層に基づきガラス基板および樹脂フィルムは相互に接着される。導電線や接着層は、例えばディスプレイ装置の筐体に区画される窓孔の周辺に配置される。
【特許文献１】特開２００１−２９６９７１号公報
【特許文献２】特開２００１−２４９７６６号公報
【特許文献３】特開平０８−２４１６４６号公報
【発明の開示】
【発明が解決しようとする課題】
【０００３】
ノートパソコンの使用者はしばしば窓孔の周辺で筐体を掴む。このとき、筐体から樹脂フィルムに押し付け力が作用する。導電線同士の間で接着層は押し潰される。導電線同士はどこでも満遍なく向き合うことから、導電線同士は接触しやすい。導電線同士が接触すると、タッチパネルユニットは正常に動作し続けることができない。
【０００４】
導電線同士の接触の回避にあたって、導電線同士を相互にずらして配置することも考えられる。こうした場合、樹脂フィルムに作用する押し付け力で接着層は所定の位置から横ずれしてしまう。しかも、導電線の配置にあたって窓孔の周辺に大きな面積が必要とされる。近年、窓枠の周辺の面積は縮小されることが求められている。
【０００５】
本発明は、上記実状に鑑みてなされたもので、できる限り導電体同士の接触を回避することができるパネルユニットおよび表示装置並びに電子機器を提供することを目的とする。
【課題を解決するための手段】
【０００６】
上記目的を達成するために、第１発明によれば、下側基材と、下側基材の表面で任意の出発点から終点まで延びる１筋の第１導電体と、裏面で下側基材の表面に向き合わせられる上側基材と、上側基材の裏面で、前記出発点に向き合わせられる対応の出発点から、前記終点に向き合わせられる対応の終点まで、複数回にわたって第１導電体に交差する１筋の第２導電体とを備えることを特徴とするパネルユニットが提供される。
【０００７】
こうしたパネルユニットでは、上側基材に押し付け力が作用すると、第２導電体は第１導電体に向かって押し付けられる。第１および第２導電体は複数回にわたって交差することから、第１および第２導電体の重なりは極力回避される。第１および第２導電体の接触はできる限り回避される。パネルユニットは正常に動作し続けることができる。このとき、第１導電体は下側基材の表面上で蛇行すればよい。同様に、第２導電体は上側基材の裏面上で蛇行すればよい。下側基材および上側基材は透過性を有すればよい。
【０００８】
以上のようなパネルユニットは、上側基材の表面に受け止められて、上側基材の表面に沿って窓孔を区画する枠部材と、第１および第２導電体の間に挟み込まれ、枠部材から上側基材に作用する押し付け力を受け止める絶縁層とをさらに備えてもよい。このとき、第１導電体は下側基材の周縁に沿って延びればよい。
【０００９】
こうしたパネルユニットでは、使用者はしばしばのパネルユニットの周縁を掴む。このとき、枠部材から上側基材に比較的に大きな押し付け力が加わる。押し付け力に基づき第２導電体は第１導電体に向かって押し付けられる。第２導電体は第１導電体に複数回にわたって交差することから、第１および第２導電体の重なりは極力回避される。第１および第２導電体の接触はできる限り回避される。パネルユニットは正常に動作し続けることができる。
【００１０】
しかも、枠部材から上側基材に押し付け力が作用すると、第２導電体は第１導電体に向かって押し付けられる。第２導電体は第１導電体に複数回にわたって交差することから、第２導電体および第１導電体の間に絶縁層は確実に挟み込まれる。したがって、第２導電体および第１導電体の間で横ずれは確実に防止されることができる。こういったパネルユニットは例えば表示装置や電子機器に組み込まれてもよい。表示装置や電子機器は表示パネルユニットをさらに備えてもよい。このとき、下側基材は表示パネルユニットの表面に沿って配置されればよい。
【００１１】
第２発明によれば、第１基材と、第１基材の表面で１対の電極の間に広がる導電膜と、少なくとも一方の電極に接続され、導電膜から離隔しつつ第１基材の表面で延びる任意の出発点から終点まで延びる１筋の導電線と、裏面で第１基材の表面に向き合わせられる第２基材と、第２基材の裏面で、前記出発点に向き合わせられる対応の出発点から、前記終点に向き合わせられる対応の終点まで、複数回にわたって導電線に交差する１筋の導電体とを備えることを特徴とするパネルユニットが提供される。
【００１２】
こうしたパネルユニットでは、第２基材に押し付け力が作用すると、導電体は導電線に向かって押し付けられる。導電体は導電線に複数回にわたって交差することから、導電体および導電線の重なりは極力回避される。導電体および導電線の接触はできる限り回避される。パネルユニットは正常に動作し続けることができる。このとき、導電体は、導電膜に向き合わせられつつ第２基材の裏面で広がる導電膜に接続される電極であってもよい。第１基材および第２基材は透過性を有すればよい。
【００１３】
以上のようなパネルユニットは、第２基材の表面に受け止められて、第２基材の表面に沿って窓孔を区画する枠部材と、導電線および導電体の間に挟み込まれ、枠部材から第２基材に作用する押し付け力を受け止める絶縁層とをさらに備えてもよい。このとき、導電線は前記下側基材の周縁に沿って延びればよい。
【００１４】
こうしたパネルユニットでは、使用者はしばしばのパネルユニットの周縁を掴む。このとき、枠部材から第２基材に比較的に大きな押し付け力が加わる。押し付け力に基づき導電体は導電線に向かって押し付けられる。導電体は導電線に複数回にわたって交差することから、導電線および導電体の重なりは極力回避される。導電線および導電体の接触はできる限り回避される。パネルユニットは正常に動作し続けることができる。
【００１５】
しかも、枠部材から第２基材に押し付け力が作用すると、導電体は導電線に向かって押し付けられる。導電体は導電線に複数回にわたって交差することから、導電線および導電体の間に絶縁層は確実に挟み込まれる。したがって、導電体および導電線の間で横ずれは確実に防止されることができる。こういったパネルユニットは例えば表示装置や電子機器に組み込まれてもよい。表示装置や電子機器は表示パネルユニットをさらに備えてもよい。このとき、第１基材は表示パネルユニットの表面に沿って配置されればよい。
【発明の効果】
【００１６】
以上のように本発明によれば、できる限り導電体同士の接触を回避することができるパネルユニットおよび表示装置並びに電子機器を提供することができる。
【発明を実施するための最良の形態】
【００１７】
以下、添付図面を参照しつつ本発明の一実施形態を説明する。
【００１８】
図１は電子機器すなわちノートブックパーソナルコンピュータ（いわゆるノートパソコン）１１の外観を概略的に示す。このノートパソコン１１は、薄型の機器本体１２と、所定の回転軸１３回りで揺動自在に機器本体１２に連結されるディスプレイ装置１４とを備える。
【００１９】
機器本体１２の筐体内にはいわゆるマザーボード（図示されず）が組み込まれる。周知の通り、マザーボードには例えばＣＰＵ（中央演算処理装置）やメモリといった処理回路が実装される。ＣＰＵは、例えばメモリに一時的に取り込まれるＯＳ（オペレーティングシステム）やアプリケーションソフトウェアに基づき演算処理を実施する。ＣＰＵの演算処理にあたって、使用者は、機器本体１２に搭載されるキーボード１５やポインティングデバイス１６といった入力装置から様々なデータや指令を入力することができる。
【００２０】
ディスプレイ装置１４はディスプレイ用筐体１７を備える。ディスプレイ用筐体１７には長方形の窓孔１８が区画される。この窓孔１８には液晶ディスプレイ（ＬＣＤ）パネルの表示画面が臨む。ＬＣＤパネルの表示画面にはＣＰＵの演算処理に基づきグラフィックスやテキストが映し出される。
【００２１】
図２に示されるように、ディスプレイ用筐体１７は、ベース１９と、ベース１９に結合される枠部材すなわちカバー２１とを備える。カバー２１やベース１９は例えばポリカーボネートといった樹脂材料やマグネシウムといった金属材料から成型されればよい。カバー２１およびベース１９の間には、タッチパネルユニット２２と、タッチパネルユニット２２の背面に重ね合わせられる液晶ディスプレイ（ＬＣＤ）パネルユニット２３とが収容される。タッチパネルユニット２２は透過性を有する。
【００２２】
カバー２１とベース１９との結合にあたってディスプレイ用筐体１７には複数本のねじ２４がねじ込まれる。ねじ２４の中心軸はディスプレイ装置１４の表示画面に直交する方向に配置される。ねじ２４はカバー２１の正面から差し込まれる。ねじ２４の差し込みにあたって、カバー２１の正面には貫通孔２５が区画されればよい。貫通孔２５は例えば化粧材（図示されず）で覆われればよい。
【００２３】
タッチパネルユニット２２は、機器本体１２に向かって延びるフレキシブルプリント基板（ＦＰＣ）２６を備える。ＦＰＣ２６は機器本体１２内のマザーボードに接続される。マザーボード上にはコントローラチップといった制御回路（図示されず）が搭載される。こうした制御回路の働きでタッチパネルユニット２２の動作は制御される。
【００２４】
ＬＣＤパネルユニット２３では、ＬＣＤパネルや拡散板、プリズム板、導光板、反射板といったパネル形のモジュール部品が順番に重ね合わせられる。導光板の一端には例えば２本の蛍光管が隣接して配置される。反射板の背後には表示制御用の回路基板が配置される。この回路基板は前後１対の絶縁性シートに挟み込まれる。回路基板にはフレキシブルプリント基板（ＦＰＣ）が接続される。このＦＰＣは機器本体１２内のマザーボードに接続される。
【００２５】
タッチパネルユニット２２およびＬＣＤパネルユニット２３の間にはスペーサ２７が挟み込まれる。スペーサ２７はタッチパネルユニット２２の外周面を囲む。スペーサ２７の背面はＬＣＤパネルユニット２３の表面に受け止められる。スペーサ２７は例えばゴムといった弾性材料から構成されればよい。スペーサ２７に基づきタッチパネルユニット２２およびＬＣＤパネルユニット２３の間では所定の間隔が確保される。
【００２６】
ＬＣＤパネルユニット２３には外周面から外側に広がる突片２８が区画される。突片２８には、前述のねじ２４を受け入れる貫通孔２９が形成される。その一方で、ベース１９には、ねじ２４を受け入れるねじ孔３１が形成される。ねじ２４は、カバー２１および突片２８を貫通した後、ねじ孔３１に受け入れられる。こうしてタッチパネルユニット２２およびＬＣＤパネルユニット２３はカバー２１およびベース１９の間で固定される。
【００２７】
図３に示されるように、タッチパネルユニット２２は長方形の第１基材すなわち下側基材３５と、裏面で下側基材３５の表面に向き合わせられる長方形の第２基材すなわち上側基材３６とを備える。下側基材３５は例えば透明なガラス基板から構成されればよい。こうして下側基材３５は透過性を有する。上側基材３６は例えばＰＥＴ（ポリエチレンテレフタレート）フィルムといった透明な樹脂フィルムから構成されればよい。こうして上側基材３６は透過性を有する。上側基材３６は下側基材３５の輪郭と同一の輪郭を有する。下側および上側基材３５、３６の間には接着材３７が挟み込まれる。この接着材３７は、下側および上側基材３５、３６の周縁に沿って一巡する枠形に形成される。接着材３７の働きで上側基材３６の周縁は下側基材３５の周縁に連結される。
【００２８】
図４を併せて参照し、下側基材３５の表面には透明な第１導電膜３８が広がる。第１導電膜３８は長方形に形成される。第１導電膜３８の周囲では下側基材３５が露出する。第１導電膜３８は例えばＩＴＯ（インジウム錫酸化物）膜から構成されればよい。第１導電膜３８の表面には等間隔で格子状にドットスペーサ３９が配置される。ドットスペーサ３９は第１導電膜３８の表面から半球形に盛り上がる。ドットスペーサ３９は例えば絶縁性の樹脂材料から構成されればよい。
【００２９】
下側基材３５の表面には下側基材３５の周縁に沿って第１導電体４１が延びる。第１導電体４１は、第１導電膜３８に個別に接続される１対の第１電極４２ａ、４２ｂと、第１電極４２ａ、４２ｂに接続される第１導電線４３ａ、４３ｂとを備える。第１電極４２ａ、４２ｂは第１導電膜３８の１対の長辺に沿って延びる。こうして第１導電膜３８は第１電極４２ａ、４２ｂの間で広がる。第１導電線４３ａは、第１導電膜３８から離隔しつつＦＰＣ２６に向かって１筋に延びる。第１導電線４３ａは、第１導電膜３８の１短辺に沿って延びた後、第１電極４２ｂに平行に延びる。第１導電線４３ａは任意の出発点４４および終点４５を結ぶ１直線に沿って蛇行する。第１導電線４３ｂは第１導電膜３８から離隔しつつＦＰＣ２４に向かって１筋に延びる。第１電極４２ａ、４２ｂや第１導電線４３ａ、４３ｂは例えば銀や銅といった金属材料から構成されればよい。
【００３０】
下側基材３５の表面には第１導電膜３８、第１電極４２ａ、４２ｂおよび第１導電線４３ａ、４３ｂから離隔しつつ１対の第１導電パッド４６、４６が形成される。第１導電パッド４６には、下側基材３５の表面で第１電極４２ａ、４２ｂや第１導電線４３ａ、４３ｂから離隔しつつ延びる導電線４７が接続される。導電線４７はＦＰＣ２６に向かって延びる。第１導電パッド４６や導電線４７は例えば銀や銅といった金属材料から構成されればよい。
【００３１】
図５を併せて参照し、上側基材３６の裏面には透明な第２導電膜４８が広がる。第２導電膜４８は長方形に形成される。第２導電膜４８の周囲では上側基材３６が露出する。第２導電膜４８は第１導電膜３８に向き合わせられる位置に配置される。第２導電膜４８は、第１導電膜３８と同様に、例えばＩＴＯ（インジウム錫酸化物）膜から構成されればよい。
【００３２】
上側基材３６の裏面には上側基材３６の周縁に沿って第２導電体４９が延びる。第２導電体４９は、第２導電膜４８に個別に接続される１対の第２電極５１ａ、５１ｂと、第２電極５１ａ、５１ｂに接続される第２導電線５２ａ、５２ｂとを備える。第２電極５１ａ、５１ｂは第２導電膜４８の１対の短辺に沿って延びる。こうして第２導電膜４８は第２電極５１ａ、５１ｂの間で広がる。第２電極５１ａは任意の出発点５４および終点５５を結ぶ１直線に沿って蛇行する。出発点５４は第１導電膜４３ａの出発点４４に向き合わせられる。終点５５は第１導電膜４３ａの終点４５に向き合わせられる。
【００３３】
第２導電線５２ａ、５２ｂは一端で第２導電パッド５３、５３に接続される。第２導電パッド５３は、上側基材３６の裏面で第２導電膜４８や第２電極５１ａ、５１ｂから離隔しつつ配置される。第２電極５１ａ、５１ｂ、第２導電線５２ａ、５２ｂおよび第２導電パッド５３は例えば銀や銅といった金属材料から構成されればよい。下側基材３５および上側基材３６が前述の接着材３７で相互に結合されると、個々の第２導電パッド５３、５３は、対応する第１導電パッド４６、４６に個別に接続される。こうして個々の第２導電パッド５３、５３は下側基材３５の導電線４７、４７に個別に接続される。
【００３４】
図６に示されるように、上側基材３６が下側基材３５に重ね合わせられると、出発点４４および終点４５を結ぶ直線と、出発点５４および終点５５を結ぶ直線とは重ね合わせられる。第２電極５１ａは出発点５４から終点５５まで複数回にわたって第１導電線４３ａに交差する。第１導電線４３ａおよび第２電極５１ａの重なりは極力回避されることができる。ここでは、第１導電線４３ａおよび第２電極５１ａは等間隔で交差すればよい。
【００３５】
図７に示されるように、タッチパネルユニット２２がディスプレイ用筐体１７に収容されると、下側基材３５はＬＣＤパネルユニット２３の表面に沿って配置される。上側基材３６の表面はカバー２１を受け止める。こうしてカバー２１の窓孔１８は上側基材３６の表面に沿って区画される。窓孔１８の外側には第１導電線４３ａおよび第２電極５１ａが配置される。
【００３６】
第１導電線４３ａおよび第２電極５１ａは交差する箇所以外では相互に向き合わせられない。前述されるように、第１導電線４３ａおよび第２電極５１ａの間には接着材３７が挟み込まれる。接着材３７は絶縁層すなわち絶縁性の両面接着シートから構成されればよい。こうした接着材３７の働きで第１導電線４３ａおよび第２電極５１ａの間は絶縁される。接着材３７は、基材３７ａと、基材３７ａの表裏面に形成される接着層３７ｂとを備える。基材３７ａは例えばシリコーン系の樹脂材料から構成されればよい。接着層３７ｂは例えばアクリル系樹脂材料から構成されればよい。ここでは、接着剤３７すなわち基材３７ａは、カバー２１から上側基材３６に作用する押し付け力を押し止める剛性を有する。
【００３７】
例えば、タッチパネルユニット２２の入力操作に基づきアプリケーションソフトウェアを起動する場面を想定する。窓孔１８の内側ではＬＣＤパネルの表示画面にアプリケーションソフトウェアのアイコンが表示される。このアイコンには予め所定の位置座標が関連付けられる。
【００３８】
いま、使用者がアイコン上でタッチパネルユニット２２の上側基材３６に触れると、その接触位置で上側基材３６は撓む。上側基材３６の撓みに基づき上側基材３６の第２導電膜４８は下側基材３５の第１導電膜３８に接触する。このとき、接触点のｘ座標の特定にあたって上側基材３６上の第２導電膜４８には電位勾配が形成される。第２導電膜４８には導電線４７、第２導電線５２および第２電極５１から電圧が印加される。接触点の電位は第１導電膜３８から取り出される。接触点の電位に基づきｘ座標は特定される。
【００３９】
同様に、接触点のｙ座標の特定にあたって下側基材３５上の第１導電膜３８には電位勾配が形成される。第１導電膜３８には第１導電線４３および第１電極４２から電圧が印加される。接触点の電位は第２導電膜４８から取り出される。接触点の電位に基づきｙ座標は特定される。特定されたｘ座標およびｙ座標はＣＰＵに送り込まれる。ＣＰＵは、受け取ったｘ座標およびｙ座標と前述の位置座標との対応関係を検証する。対応関係が確認されると、ＣＰＵはアプリケーションソフトウェアを起動する。
【００４０】
次に、タッチパネルユニット２２の製造方法を簡単に説明する。まず、下側および上側基材３５、３６が用意される。下側および上側基材３５、３６には蒸着に基づき予め第１および第２導電膜３８、４８が形成される。続いて、下側基材３５の周縁には第１導電体４１が形成される。上側基材３６の周縁には第２導電体４９が形成される。形成にあたって銀ペーストや銅ペーストは所定の基材上に予め電極や導電線を象って印刷される。第１導電線４３ａや第２電極５１ａは予め蛇行した形状に形成されればよい。その後、熱に基づき銀ペーストや銅ペーストは硬化する。こうして象られた電極や導電線は基材から下側および上側基材３５、３６の所定の位置に転写される。同時に、第１導電膜３８の表面にはドットスペーサ３９が形成される。形成にあたって例えば樹脂材料が所定の位置に塗布されればよい。その後、下側および上側基材３５、３６の間には接着材３７が挟み込まれる。こうして下側および上側基材３５、３６は結合される。
【００４１】
以上のようなノートパソコン１１では、使用者はしばしばディスプレイ装置１４の周縁を掴む。このとき、カバー２１から上側基材３６に比較的に大きな押し付け力が加わる。こうした押し付け力は第１導電線４３ａおよび第２電極５１ａに作用する。第１導電線４３ａおよび第２電極５１ａの重なりは極力回避されることから、第１導電線４３ａおよび第２電極５１ａの接触はできる限り回避される。タッチパネルユニット２２は正常に動作し続けることができる。
【００４２】
しかも、カバー３６から上側基材３６に押し付け力が作用すると、第２電極５１ａは第１導電線４３ａに向かって押し付けられる。第２電極５１ａおよび第１導電線４３ａは互い違いに蛇行することから、第２電極５１ａおよび第１導電線４３ａの間に接着材３７は確実に挟み込まれる。したがって、第２電極５１ａおよび第１導線線４３ａの間で横ずれは確実に防止されることができる。
【００４３】
以上のようなタッチパネルユニット２２は、ノートパソコン１１以外に、例えばＰＤＡ（携帯情報端末）端末やＰＯＳ（販売時点情報管理）端末、ＧＰＳ（全地球測位システム）端末、ファクシミリ装置、複写機、カーナビゲーションシステムといったその他の電子機器に組み込まれることができる。
【００４４】
（付記１）  下側基材と、下側基材の表面で任意の出発点から終点まで延びる１筋の第１導電体と、裏面で下側基材の表面に向き合わせられる上側基材と、上側基材の裏面で、前記出発点に向き合わせられる対応の出発点から、前記終点に向き合わせられる対応の終点まで、複数回にわたって第１導電体に交差する１筋の第２導電体とを備えることを特徴とするパネルユニット。
【００４５】
（付記２）  付記１に記載のパネルユニットにおいて、前記第１導電体は前記下側基材の表面上で蛇行することを特徴とするパネルユニット。
【００４６】
（付記３）  付記２に記載のパネルユニットにおいて、前記第２導電体は前記上側基材の裏面上で蛇行することを特徴とするパネルユニット。
【００４７】
（付記４）  付記１に記載のパネルユニットにおいて、前記下側基材および前記上側基材は透過性を有することを特徴とするパネルユニット。
【００４８】
（付記５）  付記１に記載のパネルユニットにおいて、前記上側基材の表面に受け止められて、前記上側基材の表面に沿って窓孔を区画する枠部材と、前記第１および第２導電体の間に挟み込まれ、枠部材から前記上側基材に作用する押し付け力を受け止める絶縁層とをさらに備えることを特徴とするパネルユニット。
【００４９】
（付記６）  第１基材と、第１基材の表面で１対の電極の間に広がる導電膜と、少なくとも一方の電極に接続され、導電膜から離隔しつつ第１基材の表面で延びる任意の出発点から終点まで延びる１筋の導電線と、裏面で第１基材の表面に向き合わせられる第２基材と、第２基材の裏面で、前記出発点に向き合わせられる対応の出発点から、前記終点に向き合わせられる対応の終点まで、複数回にわたって導電線に交差する１筋の導電体とを備えることを特徴とするパネルユニット。
【００５０】
（付記７）  付記６に記載のパネルユニットにおいて、前記導電体は、前記導電膜に向き合わせられつつ前記第２基材の裏面で広がる導電膜に接続される電極であることを特徴とするパネルユニット。
【００５１】
（付記８）  表示パネルユニットと、表示パネルユニットの表面に沿って配置される下側基材と、下側基材の表面で任意の出発点から終点まで延びる１筋の第１導電体と、裏面で下側基材の表面に向き合わせられる上側基材と、上側基材の裏面で、前記出発点に向き合わせられる対応の出発点から、前記終点に向き合わせられる対応の終点まで、複数回にわたって第１導電体に交差する１筋の第２導電体とを備えることを特徴とする表示装置。
【００５２】
（付記９）  付記８に記載の表示装置において、前記第１導電体は前記下側基材の表面上で蛇行することを特徴とする表示装置。
【００５３】
（付記１０）  付記９に記載の表示装置において、前記第２導電体は前記上側基材の裏面上で蛇行することを特徴とする表示装置。
【００５４】
（付記１１）  付記８に記載の表示装置において、前記上側基材および前記下側基材は透過性を有することを特徴とする表示装置。
【００５５】
（付記１２）  付記８に記載の表示装置において、前記上側基材の表面に受け止められて、前記上側基材の表面に沿って窓孔を区画する枠部材と、前記第１および第２導電体の間に挟み込まれ、枠部材から前記上側基材に作用する押し付け力を受け止める絶縁層とをさらに備えることを特徴とする表示装置。
【００５６】
（付記１３）  表示パネルユニットと、表示パネルユニットの表面に沿って配置される第１基材と、第１基材の表面で１対の電極の間に広がる導電膜と、少なくとも一方の電極に接続され、導電膜から離隔しつつ第１基材の表面で延びる任意の出発点から終点まで延びる１筋の導電線と、裏面で第１基材の表面に向き合わせられる第２基材と、第２基材の裏面で、前記出発点に向き合わせられる対応の出発点から、前記終点に向き合わせられる対応の終点まで、複数回にわたって導電線に交差する１筋の導電体とを備えることを特徴とする表示装置。
【００５７】
（付記１４）  付記１３に記載の表示装置において、前記導電体は、前記導電膜に向き合わせられつつ前記第２基材の裏面で広がる導電膜に接続される電極であることを特徴とする表示装置。
【００５８】
（付記１５）  表示パネルユニットと、表示パネルユニットの表面に沿って配置される下側基材と、下側基材の表面で任意の出発点から終点まで延びる１筋の第１導電体と、裏面で下側基材の表面に向き合わせられる上側基材と、上側基材の裏面で、前記出発点に向き合わせられる対応の出発点から、前記終点に向き合わせられる対応の終点まで、複数回にわたって第１導電体に交差する１筋の第２導電体とを備えることを特徴とする電子機器。
【００５９】
（付記１６）  付記１５に記載の電子機器において、前記第１導電体は前記下側基材の表面上で蛇行することを特徴とする電子機器。
【００６０】
（付記１７）  付記１６に記載の電子機器において、前記第２導電体は前記上側基材の裏面上で蛇行することを特徴とする電子機器。
【００６１】
（付記１８）  付記１５に記載の電子機器において、前記下側基材および前記上側基材は透過性を有することを特徴とする電子機器。
【００６２】
（付記１９）  付記１５に記載の電子機器において、前記上側基材の表面に受け止められて、前記上側基材の表面に沿って窓孔を区画する枠部材と、前記第１および第２導電体の間に挟み込まれ、枠部材から前記上側基材に作用する押し付け力を受け止める絶縁層とをさらに備えることを特徴とする電子機器。
【００６３】
（付記２０）  表示パネルユニットと、表示パネルユニットの表面に沿って配置される第１基材と、第１基材の表面で１対の電極の間に広がる導電膜と、少なくとも一方の電極に接続され、導電膜から離隔しつつ第１基材の表面で延びる任意の出発点から終点まで延びる１筋の導電線と、裏面で第１基材の表面に向き合わせられる第２基材と、第２基材の裏面で、前記出発点に向き合わせられる対応の出発点から、前記終点に向き合わせられる対応の終点まで、複数回にわたって導電線に交差する１筋の導電体とを備えることを特徴とする電子機器。
【００６４】
（付記２１）  付記２０に記載の電子機器において、前記導電体は、前記導電膜に向き合わせられつつ前記第２基材の裏面で広がる導電膜に接続される電極であることを特徴とする電子機器。
【図面の簡単な説明】
【００６５】
【図１】図１は、電子機器すなわちノートブックパーソナルコンピュータ（ノートパソコン）の全体構成を概略的に示す斜視図である。
【図２】図２は、カバーおよびベースに組み付けられるタッチパネルユニットおよび液晶ディスプレイ（ＬＣＤ）パネルユニットの様子を概略的に示す分解斜視図である。
【図３】図３は、タッチパネルユニットの構造を概略的に示す分解斜視図である。
【図４】図４は、一具体例に係る下側基材の構造を概略的に示す裏側基材の表面の平面図である。
【図５】図５は、一具体例に係る上側基材の構造を概略的に示す上側基材の裏面の平面図である。
【図６】図６は、タッチパネルユニットの構造を概略的に示す拡大部分平面図である。
【図７】図７は、図６の７−７線に沿った断面図であり、タッチパネルユニットの構造を概略的に示す図である。
【符号の説明】
【００６６】
１１  電子機器（ノートブックパーソナルコンピュータ）、１４  表示装置（ディスプレイ装置）、２１  枠部材（カバー）、２２  パネルユニット、２３  表示パネルユニット（ディスプレイパネルユニット）、３５  下側基材、３５  第１基材、３６  上側基材、３６  第２基材、３７  絶縁層、３８  導電膜（第１導電膜）、４１  第１導電体、４２  電極（第１電極）、４３  導電線（第１導電線）、４４  出発点、４５  終点、４８  導電膜（第２導電膜）、４９  第２導電体、５１  電極（第２電極）、５２  導電線（第２導電線）、５４  出発点、５５  終点。
【図１】
2006031207.tif 000003
【図２】
2006031207.tif 000004
【図３】
2006031207.tif 000005
【図４】
2006031207.tif 000006
【図５】
2006031207.tif 000007
【図６】
2006031207.tif 000008
【図７】
2006031207.tif 000009